【事件の表示】
　平成３年特許願第９９３７２号「玉排出装置」拒絶査定に対する審判事件［平成４年８月３１日出願公開、特開平４−２４２６８２］について、次のとおり審決する。
【結　論】
　本件審判の請求は、成り立たない。
【理　由】
  一、手続の経緯、本願発明
　本願は、平成３年４月４日（優先権主張平成２年１２月１３日）の出願であって、その請求項１に係る発明は、平成１２年１２月１日付け手続補正により補正された明細書及び図面の記載からみて、その特許請求の範囲の請求項１に記載された事項により特定された次のとおりのものである。
「【請求項１】遊技において使用する玉であって遊技者が借り受ける貸玉と入賞玉の発生に基づいて支払われる景品玉とを排出する玉排出装置において、
　排出する玉数の異なるそれぞれの排出指令信号を導出する複数の排出指令信号導出手段と、
　前記複数の排出指令信号のそれぞれに対応する複数の音声データを記憶する音声データ記憶手段と、
　該音声データ記憶手段に記憶された音声データに基づく音声を発生する音声発生手段と、
　前記排出指令信号導出手段から導出される各排出指令信号に基づいてその信号の種類に対応する音声データを前記音声データ記憶手段から選択して前記音声発生手段から出力するように駆動制御する音声駆動制御手段と、を備えたことを特徴とする玉排出装置。」（以下、これを「本願発明」という。）
二、当審の拒絶理由
　一方、当審において平成１２年９月２１日付けで通知した拒絶の理由の概要は、本願発明は、その出願前日本国内において頒布された下記の刊行物１ないし３に記載された発明に基づいて当業者が容易に発明をすることができたものであるから、特許法第２９条第２項の規定により特許を受けることができない、というものである。
　　　　　　　　　　　　　　　　　　記
刊行物１：特開平２ー２５２４７９号公報（以下、「引用刊行物１」という）
刊行物２：特開昭５８ー８３９７６号公報（以下、「引用刊行物２」という）
刊行物３：特開平２ー７５２４８２号公報（以下、「引用刊行物３」という）
三、引用刊行物に記載された発明
  引用刊行物１には、次のことが記載されている。
ア「景品玉を連続的に払出し可能な景品玉払出装置と、弾球遊技において発生した得点を記憶する得点記憶手段と、該得点記憶手段で記憶されているすべての得点に対応する数の景品玉がすべて払出されるまで連続的に前記景品玉払出装置を駆動制御する景品玉払出装置駆動制御手段と、得点に対応する景品玉を払出したことを報知する報知手段と、個々の得点に対応する数の景品玉を払出したときに前記報知手段を制御する報知制御手段と、を備えた弾球遊技機。」（特許請求の範囲）、
イ「一番入賞し易い中央の始動入賞口２７に入賞した打玉によって払出される景品玉数だけを他の入賞口に入賞した打玉によって払出される景品玉数よりも少なくなるように設定している。」（第３頁右下欄第１３〜１７行）、
ウ「第１の入賞玉集合樋５４は、前記した各種の入賞口のうち始動入賞口を除く入賞口に入賞した入賞玉が誘導されるもので、．．．その検出信号数に「７」を掛けた数の景品玉が払い出される。」（第４頁右下欄第１２行〜第５頁左上欄１０行１７行）、
エ「第１の入賞玉検出器５６（以下、入賞玉検出器１という）によって検出された検出信号は、検出回路１１０を介して入賞個数カウンタ１１２（以下、入賞カウンタ１という）に得点「１」として記憶される。同様に第２の入賞玉検出器５７（以下、入賞玉検出器２という）によって検出された検出信号は、検出回路１１１を介して入賞個数カウンタ１１３（以下、入賞カウンタ２という）に得点「１」として記憶される。入賞個数カウンタ１及び入賞個数カウンタ２に記憶された検出信号は、演算部１１４に送られる。演算部１１４では、入賞個数カウンタ１及び入賞個数カウンタ２から送られてきた検出信号に基づいて払出されるべき景品玉数を演算する。．．．入賞個数カウンタ１及び入賞個数カウンタ２に「１」以上の信号が記憶されている場合には、駆動回路１１５を介してステッピングモータ１０３が駆動され、景品玉の払出が行われる。．．．この信号の振り分けを選択回路１１７が行っている。つまり、駆動回路１１５が入賞個数カウンタ１の記憶値に基づいて制御されている場合には、選択回路１１７が払出カウンタ１１８（以下、払出カウンタ１という）を選択するので．．．駆動回路１１５が入賞個数カウンタ２の記憶値に基づいて制御されている場合には、選択回路１１７が払出カウンタ１１９（以下、払出カウンタ２という）を選択するので、払出玉検出器９６からの信号は、選択回路１１７を介して払出カウンタ２に入力される。」（第７頁右上欄第１５行〜第８頁左上欄第４行）
オ「払出カウンタ１は、カウント数が「１３」個になったときに．．．報知制御回路１２０に前記払出報知ランプ３５及びスピーカ８を駆動する駆動信号を与える。また、払出カウンタ２は、カウント数が「７」個になったときに．．．報知制御回路１２０に前記払出報知ランプ３５及びスピーカ８を駆動する駆動信号を与える。この実施例の場合、報知制御回路１２０は、払出カウンタ１と払出カウンタ２とでは異なる駆動信号を払出報知ランプ３５及びスピーカ８に与えるようになっている。」（第８頁左上欄第１３行〜右上欄第６行） 
カ「まず、第１の入賞玉検出器５６の検出信号Ｐ１が導出されると、ステッピングモータ１０３が駆動されて景品玉が払い出される。払い出された景品玉は、払出玉検出器９６によって検出され、そのカウント数が「１３」になると報知制御回路１２０を介して払出報知ランプ３５にＱ１に信号が送られて２回点滅させる。また、同時にスピーカ８にもＲ１信号が送られて音声を発生させる。．．．更に、第１の入賞玉検出器５６から検出信号Ｐ２が導出されると、再度ステッピングモータ１０３が駆動され、景品玉の払出動作が行われるが、その払出動作中に第１の入賞玉検出器５６から検出信号Ｐ３と第２の入賞玉検出器５７からの検出信号Ｐ４とが導出された場合には、検出信号Ｐ２に対応する最後の景品玉（１３個目の景品玉）の払出が終了すると同時に払出報知ランプ３５及びスピーカ８に駆動信号Ｑ１，Ｒ１が送られてそれらを駆動する。このとき、ステッピングモータ１０３は、停止することなく連続して動作しており、次いで検出信号Ｐ４に対応する数（７個）景品玉が払い出される。そして、７個目の景品玉の払出が終了すると同時に払出報知ランプ３５及びスピーカ８に駆動信号Ｑ２，Ｒ２が送られてそれらを駆動する。この駆動信号Ｑ２，Ｒ２は、「１３」個の景品玉が払出されたときの駆動信号Ｑ１，Ｒ１と異なり、払出報知ランプ３５を１回点滅し、スピーカ８を相対的に短い時間だけ作動させるものである。」（第８頁右上欄第１６行〜右下欄第５行） 
　引用刊行物１における上記記載からみて、引用刊行物１には、始動入賞口２７を除く入賞口に入賞した入賞玉は第１の入賞玉検出器５６によって検出され、その検出信号Ｐ１は入賞個数カウンタ１に記憶され、検出信号Ｐ１が導出されるとステッピングモータ１０３が駆動され１３個の景品玉が払い出され、報知制御回路１２０を介してスピーカ８に駆動信号Ｒ１が送られ音声を発生させ、始動入賞口２７に入賞した入賞玉は第２の入賞玉検出器５７によって検出され、その検出信号Ｐ４は入賞個数カウンタ２に記憶され、検出信号Ｐ４が導出されるとステッピングモータ１０３が駆動され７個の景品玉が払い出され、報知制御回路１２０を介してスピーカ８に駆動信号Ｒ２が送られ音声を発生させる。この駆動信号Ｒ２は１３個の景品玉が払い出されたときの駆動信号Ｒ１と異なりスピーカ８を相対的に短い時間だけ作動させる景品玉払出装置が記載されていると認められる。
 引用刊行物２には、次のことが記載されている。                   
キ「（１）弾球遊技機の所定の特定状態を検出する特定状態検出手段と、前記特定状態検出手段の出力に応じて音声信号を発生する音声発生手段と、前記弾球遊技機ごとに設けられかつ前記音声発生手段からの音声信号によって音声を発生するスピーカとを具備することを特徴とする弾球遊技機。（２）特許請求の範囲第（１）項記載の弾球遊技機において、前記音声発生手段が、メロディーまたは音声を発生する音声合成ＬＳＩを含むことを特徴とする弾球遊技機。」（特許請求の範囲（１）（２））
  引用刊行物３には、次のことが記載されている。
ク「玉貸機３は、第４図にその詳細が示されるように、各種の貨幣、例えば、５００円硬貨、ｌ００円硬貨、千円紙幣をそれぞれ投入する５００円硬貨投入口８、１００円硬貨投入口９及び千円紙幣投入口１０がそれぞれ設けられている。そして、各投入口８、９、１０に対応する貨幣を投入することにより後述する音声発生回路１５を介して前記スピーカー７から異なる音声を発生するようになっている。このため、遊技者は、自分が投入した貨幣の種類を聴覚的に確認することができる。また、玉貸機３には、投入した貨幣に対応する遊技玉を排出する貸玉払出口１１が設けられており、この貸玉払出口１１に遊技玉が払出されている間中、前記音声が継続してスピーカー７から発生されている。更に、貨幣が投入されたにも拘らず払出動作が行われないときにも音声がスピーカー７から発生される。」（第３頁左下欄第１６行〜右下欄第１２行） 
ケ「信号選択回路１６で選択された検出信号は、起動回路１７に送られ、その起動回路１７からの出力によりメロディ発生回路１８が駆動される。この際、メロディ発生回路１８には、複数種類（例えば、７種又は９種）メロディが記憶されており、後述するメロディ切換回路２０によって選択設定されているものであって、作動状態に対応したメロディが起動回路１７の出力により起動される。メロディ発生回路１８から出力されたメロディは、増幅回路１９によって増幅されて出力端子２２に送られ、この出力端子２２に接続される前記スピーカー７から音声として発生される。」（第４頁左上欄第１０行〜右上欄第２行）
四、本願発明と引用刊行物１記載の発明との対比
 　本願発明と引用刊行物１に記載された発明とを対比すると、引用刊行物１記載の発明における「玉払出装置」、「Ｒ１信号による音声とＲ２信号による相対的に短い音声」、「スピーカ８」、「報知制御回路１２０」は、本願発明の「玉排出装置」、「排出指令信号導出手段から導出される排出指令信号に基づいてその信号の種類に対応する音声」、「音声発生手段」、「音声駆動制御手段」にそれぞれ相当し、引用刊行物１記載の玉払出装置では、始動入賞口２７を除く入賞口に入賞した入賞玉は第１の入賞玉検出器５６によって検出され、その検出信号Ｐ１は入賞個数カウンタ１に記憶され、検出信号Ｐ１が導出されるとステッピングモータ１０３が駆動され１３個の景品玉が払い出され、始動入賞口２７に入賞した入賞玉は第２の入賞玉検出器５７によって検出され、その検出信号Ｐ４は入賞個数カウンタ２に記憶され、検出信号Ｐ４が導出されるとステッピングモータ１０３が駆動され７個の景品玉が払い出されていることから、本願発明の「排出する玉数の異なる複数の排出指令信号を導出する複数の排出指令信号導出手段」が記載されているといえるから、
　両者は、「遊技において使用する玉であって、入賞玉の発生に基づいて支払われる景品玉を排出する玉排出装置において、排出する玉数の異なるそれぞれの排出指令信号を導出する複数の排出指令信号導出手段と、音声を発生する音声発生手段と、前記排出指令信号導出手段から導出される各排出指令信号に基づいてその信号の種類に対応する音声を前記音声発生手段から出力するように駆動制御する音声駆動制御手段と、を備えた玉排出装置。」である点で一致し、次の点で相違する。   
相違点１：玉排出装置が、本願発明では、遊技において使用する玉であって遊技者が借り受ける貸玉と入賞玉の発生に基づいて支払われる景品玉とを排出するのに対して、引用刊行物１記載の発明では、入賞玉の発生に基づいて支払われる景品玉とを排出する点。
相違点２：本願発明では、音声駆動制御手段が「複数の排出指令信号のそれぞれに対応する複数の音声データを記憶する音声データ記憶手段と、該音声データ記憶手段に記憶された音声データに基づく音声を発生する音声発生手段と、各排出指令信号に基づいてその信号の種類に対応する音声データを前記音声データ記憶手段から選択して音声発生手段から出力」するようにしているのに対して、引用刊行物１記載の発明はこの点について明示のない点。
五、判断
相違点１について：
　遊技において使用する玉の排出装置には、景品玉の排出装置（引用刊行物１）、貸玉の排出装置（引用刊行物３）、景品玉と貸玉の排出両方を行う排出装置（本願発明）があることは本願の出願前から周知の事項である。本願発明の景品玉と貸玉の排出を１の玉排出装置で行うものが周知である点にについては特開昭５３ー５９５４９号公報の第３頁右下欄第４〜１２行、特開昭６３−１２２４８７号公報の第６頁右上欄第９〜１０行、特開昭６４−３４３９０号公報の第７頁右下欄第２〜６行等を参照。そして引用刊行物１記載の発明の景品玉を排出する玉排出装置の発明を、従来から周知の貸玉と景品玉とを排出する玉排出装置に適用することは、当業者が容易に想到できたものと認められ、適用するにあたりそれを阻害するような格別の要因も認められない。
前記相違点２について：
　三、引用刊行物に記載された発明の欄に摘記した引用刊行物２，３における記載事項キ〜ケからみて、引用刊行物２，３には「複数の指令信号のそれぞれに対応する複数の音声データを記憶する音声データ記憶手段と、該音声データ記憶手段に記憶された音声データに基づく音声を発生する音声発生手段を有し、信号の種類に対応する音声データを前記音声データ記憶手段から選択して音声発生手段から出力する」構成が記載されていることは明らかであり、他にも、実開昭６３−５９６８５号公報、特開昭６２−２５３０８９号公報、実開昭５９−１８２３７９号公報に上記構成が記載されているように該構成はこの出願前から当技術分野におけるきわめて周知の技術である。そして引用刊行物１記載の発明の報知制御手段を、上記周知技術を採用して、本願発明のごとく複数の排出指令信号のそれぞれに対応する複数の音声データを記憶する音声データ記憶手段と、該音声データ記憶手段に記憶された音声データに基づく音声を発生する音声発生手段と、各排出指令信号に基づいてその信号の種類に対応する音声データを前記音声データ記憶手段から選択して音声発生手段から出力するように駆動制御する音声駆動制御手段とすることは当業者にとって格別困難だとは認められず、周知技術を付加することにより構成を単に限定したものに過ぎない。　
　　
　そうしてみると、引用刊行物１記載の発明に引用刊行物２、３記載の本願の出願前に周知の技術及び本願の出願前に周知の景品玉と貸玉の排出両方を行う玉排出装置を適用することにより、本願発明の上記相違点１，２の構成を得ることは、当業者が容易に推考し得たことである。
  そして、本願発明の奏する効果も上記引用刊行物１記載の発明及び従来から周知の技術から予測できる範囲のものであり、格別のものではない。
六、むすび
　以上のとおり、本願発明は上記引用刊行物１及び引用刊行物２、３記載の発明に基いて当業者が容易に発明をすることができたものであるから、特許法第２９条第２項の規定により特許を受けることができない。
  よって、結論のとおり審決する。